(57)【要約】  事務用の椅子のための回動可能基部を形成するための方法であり、該方法は、細長い箱状のボディを有する複数のスポーク（２）の全体を形成するための少なくとも２つのハーフ・シェル（６、６’）と支柱が挿入される中央リング（４）を構造的に結合することからなる。
2005515007.tif 000002
【特許請求の範囲】
【請求項１】
それぞれが細長い箱状のボディを有する複数のスポーク（２）の全体を形成するための少なくとも２つのハーフ・シェル（６、６’）と支柱が挿入される中央リング（４）とを構造的に結合することを特徴とする事務用椅子のための回動可能基部を形成するための方法。
【請求項２】
一方のハーフ・シェルのスポークの空洞部が、他方のハーフ・シェルのスポークの空洞部と向き合うように、各ハーフ・シェルの各スポークを実質的にＵ字型に形成することを特徴とする請求項１の方法。
【請求項３】
前記２つのハーフ・シェルが溶接により接合されることを特徴とする請求項１の方法。
【請求項４】
前記２つのハーフ・シェルが接着剤により接合されることを特徴とする請求項１の方法。
【請求項５】
前記２つのハーフ・シェルが機械結合により接合されることを特徴とする請求項１の方法。
【請求項６】
それぞれが細長い箱状のボディを有する複数のスポーク（２）の全体を形成するための少なくとも２つのハーフ・シェル（６、６’）と支柱が挿入される中央リング（４）とを構造的に結合することを特徴とする請求項１記載の方法を通じて得られる事務用椅子のための基部。
【請求項７】
各ハーフ・シェルが実質的にＵ字型であり、スポークの空洞部が他方のハーフ・シェルのスポークの空洞部と向き合うことを特徴とする請求項６記載の事務用椅子のための基部。
【請求項８】
各断面において、各ハーフ・シェルに水平部（１０、１０’）の厚みよりも薄い、側方垂直部（１４、１４’）が設けられることを特徴とする請求項６の基部。
【請求項９】
各ハーフ・シェルに、スポークの軸に対し横向き及び／又は縦向きのリブ（１２、１２’）が設けられることを特徴とする請求項６の基部。
【請求項１０】
各スポーク（２）の断面が中心からホイール接続点へ向かって狭くなることを示すことを特徴とする請求項６の基部。
【請求項１１】
２つのハーフ・シェルの全長に沿って突出端（８、８’）が設けられることを特徴とする請求項６の基部。
【請求項１２】
プラスチック材料から形成されることを特徴とする請求項６の基部。
【発明の詳細な説明】
【技術分野】
【０００１】
本発明は、回動可能事務用椅子のための基部を形成する方法及び該方法で得られる基部に関する。
【背景技術】
【０００２】
事務用椅子は、基部に据え付けられてスプリングを有する支柱からなる、脚部又はホイールを有するスポーク・タイプの基部とからなることが既知であり、該スプリングは、床からの座面の高さを調整するためのガス・ピストンの形態である。
【０００３】
このような基部の既知のタイプは、熱可塑性材料の射出成形工程で得られ、抜き出すための雄型パンチ型抜きを可能とするために、実質的にＵ字型に開いた断面形状を示す。
【０００４】
椅子の安全性及び信頼性試験に関する現時点での規定では、構造的な強さ及び完全な状態で不具合を生じさせる永久歪がないことを証明するために基部を一連の承認試験（圧縮）の対象とすることを必要とする。
【０００５】
一本の基部スポークが受ける負荷条件は、一端が中核に固定され、下方から上方へ作用し、ホイール又は脚部が接続する点で適用される垂直方向の力で応力がかけられ、スポークを梁に例えることにより概略的に示される。
従ってこの梁は、引っ張りを受ける下方のファイバー及び圧縮を受ける上方のファイバーを持つ直線的な曲げを受け、固定端に最大の曲げモーメントがあり、該固定端はスポークが中核に結合される。
【０００６】
また基部スポークは、ホイールと基部を接続する、該ホイールとピンの間の不均衡のため、捻れを受ける。
【０００７】
従来技術を用いて作られた前記基部において、スポークは逆Ｕ字型の輪郭、ファイバーに高い引っ張り力がかけられるところに材料が欠けている部分が正確に横たわり形成される。
【０００８】
結果としてこれら応力に耐えるために、スポークは厚みを増し、補強材料を加え、構造に金属部品を挿入し、より良い機械的特質を有する材料を用いることで補強される。
【発明の開示】
【発明が解決しようとする課題】
【０００９】
しかしながら、これら付加物は全て、かなりの材料費及び製造費用を上昇する。本発明の目的は、応力に対し高い抵抗性を有する椅子の基部を提供することにより、これら欠点を解消することである。
本発明の他の目的は、現時点で市場にある基部の価格／性能から得ることができない、価格／性能への交換を可能とする基部を提供することである。
【課題を解決するための手段】
【００１０】
以下の記載により明らかになる、これら及び他の目的は、請求項１記載の本発明の事務用椅子の基部を形成する方法で得られる。
【００１１】
本発明の好適な実施形態は、例示の目的であり本発明を限定しない添付の図面を参照し、詳細に記載される。
図示されるように、本発明の事務用椅子の基部は、座部及びバックレストを支える柱部が挿入される中央リング４から、半径方向に延設される複数のスポーク２からなる。
【００１２】
本発明の基部は、それぞれ下方のハーフ・シェル６及び上方のハーフ・シェル６’として以下に示される２個のプラスチック製の凹型のハーフ・シェルを構造的に結合（例えば、溶接、機械的結合、接着等）することによって形成される。
結合時に、実質的にＵ字型の断面を有する２個のハーフ・シェルの突部は、閉じた断面を有するスポークを形成する。この結合を容易にするために、２個のハーフ・シェルは、結合領域に沿い長手方向に端部８、８’を設けられる。
各スポークは、最も応力が加えられる領域、すなわちリングへの接続部において、より大きな断面を有し、最も応力の加えられない領域、すなわちホイール接続点付近においてより小さな断面を有する。加えて、断面は、より薄い垂直壁１４、１４’及びより厚みを有する上方及び下方の水平壁１０、１０’は垂直構造が好ましい。
【００１３】
更に、下方のハーフ・シェル及び上方のハーフ・シェルに、水平部１０、１０’に沿って曲げ補強リブ１２、１２’が設けられる。
【００１４】
このことは全て、各断面において、垂直部１４、１４’の表面がリブ１２、１２’を加えた水平部１０、１０’の表面よりもかなり小さいことを意味する。このタイプの断面は、より応力が加えられる領域、すなわち上方及び下方部内において材料の使用を増し、また側面の垂直部内で材料の使用を減少することにより材料の最適な分配を可能にする。
【００１５】
応力が加わる間、望ましくなくスポークが開くことを防ぐため、横リブ（図示せず）が設けられる。
【００１６】
該リブは、中立軸から最も遠い領域内でリブを用い、かつ上方及び下方部の側部を中立軸から適切に間隔を開けることによって更に補強することができる。
【００１７】
２個のハーフ・シェルの結合の結果生じる、閉じた断面は、捻れに対する抵抗を大きくする。
上記より、本発明の椅子の基部は、同じ材料では優れた機械性能を有し、より高い強度が与えられ、材料の量を削減することや、又は劣る材料を選択しても等しい性能を維持し、この場合、費用面において競争上の優位のために用いることが可能であることが明らかである。
【図面の簡単な説明】
【００１８】
【図１】基部とホイールが一体となった椅子の例を示す。
【図２】ホイール接続領域における基部の拡大図を示す。
【図３】従来技術の基部スポークの斜視図を示す。
【図４】本発明の基部スポークの斜視図を示す。
【図５】組み立てられる２個のハーフ・シェルを示す。
【図６】本発明の完全な基部を示す。
【図１】
2005515007.tif 000003
【図２】
2005515007.tif 000004
【図３】
2005515007.tif 000005
【図４】
2005515007.tif 000006
【図５】
2005515007.tif 000007
【図６】
2005515007.tif 000008
【国際調査報告】
2005515007.tif 000009
2005515007.tif 000010
2005515007.tif 000011